(57)【要約】      （修正有）【課題】壁面が例え脆い膏ボードであっても、アンカーボルトの様に高い下孔加工精度を要せずして飾りシートの止具が抜け落ちず、的確、且つ強固に取付け固定できるボード用組合せ止具を提供する。【解決手段】ボードを挿通して壁体にネジ込まれる先細状で、而もネジを形成したネジ先鋭円錐体及び該ネジ先鋭円錐体の基部と一体的に形成され、且つ該ネジ先鋭円錐体の外径より大なる外径で、而も前記ボードに挿通して下端面を前記壁体に着座する外周にネジを形成したネジ同軸体とで構成した下地用ネジ体と、該下地用ネジ体のネジ同軸体のネジに螺合されるネジを形成したネジ内孔及び回転用把部とを一体的に形成した飾具とで成したことを特徴とする。【選択図】図１
0003152670.tif 000002
【実用新案登録請求の範囲】
【請求項１】
ボードを挿通して壁体にネジ込まれる先細状で、而もネジを形成した
ネジ先鋭円錐体及び該ネジ先鋭円錐体の基部と一体的に形成され、且つ該ネジ
先鋭円錐体の外径より大なる外径で、而も前記ボードに挿通して下端を前記壁
体に着座する外周にネジを形成したネジ同軸体とで構成した下地用ネジ体と、
該下地用ネジ体のネジ同軸体のネジに螺合されるネジを形成したネジ内孔及び
回転用把部とを一体的に形成した飾具とで成したことを特徴としたボード用
組合せ止具。
【請求項２】
前記下地用ネジ体のネジ同軸体は、上端面にネジ同軸体の外径より小
径のネジ無し部を突出したことを特徴とした請求項１記載のボード用組合せ
止具。
【請求項３】
前記下地用ネジ体のネジ同軸体は、端面にドライバー先端の挿入用溝
を形成したことを特徴とした請求項１記載のボード用組合せ止具。
【考案の詳細な説明】
【技術分野】
【０００１】
本考案は、壁面に写真、ネームプレート等の飾りシートを取付け固定する止具に関する。
【背景技術】
【０００２】
一般的に壁面にこれら飾りシートを飾る場合、従来は壁面の硬質材料層にまで釘やネジを差し込み、飾りシートを収めた額縁等を取付け固定している。
ところで、これら額縁自体はかなり重いことから壁面が脆い例えば、石膏ボードであると、釘やネジの孔が崩れることから、重さに耐えられる迄に充分に締め付けられず、抜け落ちてしまう恐れがあった。
勿論、壁体にアンカーボルトを埋め込むものも存在するが、これらは高い寸法精度の下孔加工を要求されることから、一般家庭には不向きと言える。
【考案の概要】
【考案が解決しようとする課題】
【０００３】
壁面が例え脆い石膏ボードであっても、アンカーボルトの様に高い下孔加工精度を要せずして飾りシートの止具が抜け落ちることがなく、的確、且つ強固に取付け固定できることとする課題を解決する。
【課題を解決するための手段】
【０００４】
本考案は、ボードを挿通して壁体にネジ込まれる先細状で、而もネジを形成したネジ先鋭円錐体及び該ネジ先鋭円錐体の基部と一体的に形成され、且つ該ネジ先鋭円錐体の外径より大なる外径で、而も前記ボードに挿通して下端面を前記壁体に着座する外周にネジを形成したネジ同軸体とで構成した下地用ネジ体と、該下地用ネジ体のネジ同軸体のネジに螺合されるネジを形成したネジ内孔及び回転用把部とを一体的に形成した飾具とで成したことを特徴としたものである。
更に本考案は、下地用ネジ体のネジ同軸体は、上端面にネジ同軸体の外径より小径のネジ無し部を突出させたことを特徴としたものである。
また本考案は、下地用ネジ体のネジ同軸体は、端面にドライバー先端の挿入用溝を形成したことを特徴としたものである。
【考案の効果】
【０００５】
（１）請求項１により、壁面が例え脆い石膏ボードであっても、下地用ボルト本体1のネジ同軸体３の下端面３ａと壁体Ｗとの間にてボードＤを挟み、ボードＤに直接負荷が掛からず、下地用ボルト本体1が抜け落ちることはない。
更に本考案は、ネジ同軸体３の先細状のネジ先鋭円錐体４をボードＤ及び壁体Ｗに一般のネジ釘と同様に捻じ込めばよく、アンカーボルトの様に高い寸法精度の下孔加工を要求されることもない。
【０００６】
（２）請求項２により、飾りシートＡの取替え時は、飾具２を外した後、ネジ無し部６をペンチ等にて挟んで逆回転してボードＤ及び壁体Ｗから簡単に抜き外すことができる。
（３）請求項３により、飾りシートＡの取替え時は、ドライバー操作にてボードＤ及び壁体Ｗから簡単に抜き外すことができる。
【図面の簡単な説明】
【０００７】
【図１】ボード用組み合せ止具を示す一部切欠断面図
【図２】飾具の一部切欠断面図
【図３】同上の底面図
【図４】下地用ネジ本体の正面図
【図５】同上の平面図
【図６】透明板の斜視図
【考案を実施するための形態】
【０００８】
以下本考案を実施例として掲げた図面に基いて説明すると、図1はボード用組み合せ止具を示す一部切欠断面図であって、写真、ネームプレート等の飾りシートＡを挟む上下透明板Ｂ、Ｃを挿通してボードＤ及び壁体Ｗにネジ込まれる下地用ボルト本体1と、この下地用ボルト本体1に被される飾具２とを示している。
【０００９】
具体的には下地用ボルト本体1は、ネジ同軸体３の下端面３ａにネジ５を有する先細状のネジ先鋭円錐体４を一体的に形成し、且つ上端面３ｂにネジ同軸体３の外径Ｒより小径のネジ無し部６を突出させており、このネジ無し部６をペンチ等で挟んで、下地用ボルト本体1を回転してボードＤ及び壁体Ｗにネジ込むこととなる。このネジ無し部６は、特に下地用ボルト本体１を抜き外す場合に有効となる。
更にこのネジ無し部６は、ネジ加工時のチャック保持部としても用いることができる。勿論、図５に示す如く、ドライバー先端の挿入用溝７を設けてもよい。
【００１０】
而して、ネジ先鋭円錐体４の外径Ｓはネジ同軸体３の外径Ｒより小径となっており、ネジ同軸体３は上下透明板Ｂ、Ｃの遊孔Ｂａ、Ｃａを挿通し、その下端面３ａがボードＤに着座した状態でネジ先鋭円錐体４がボードＤ及び壁体Ｗに捩じ込まれる。
このネジ同軸体３の長さＴは上下透明板Ｂ、Ｃの重ね巾Ｘより長くなっており、その差分Ｙが上透明板Ｂより突出する。
【００１１】
図２、３に示す如く、飾具２はネジ同軸体３のネジ８に螺合されるネジ９を形成したネジ内孔１０及び回転用把部１１とで構成している。
勿論、この回転用把部１１は飾具２をそのものとしてもよい。
この飾具２の下端面２ａが上透明板Ｂに着座し、上下透明板Ｂ、Ｃと壁体Ｗとの間にて脆いボードＤを挟むと共に、締め付けることとなる。
即ち、脆いボードＤには直接下地用ボルト本体1のねじりモーメントが加わらない状態となり、且つ上述した様にネジ同軸体３の長さＴと上下透明板Ｂ、Ｃの重ね巾Ｘとの差分ＹがボードＤの厚さ違いに適応することとなる。
【００１２】
次に本考案ボード用組合せ止具の使用順序を説明すると、先ず図１に示す如く、写真、ネームプレート等の飾りシートＡ及び上下透明板Ｂ、ＣをボードＤの所望位置に位置決めし、上下透明板Ｂ、Ｃの遊孔Ｂａ、Ｃａに下地用ボルト本体1のネジ先鋭円錐体４及びネジ同軸体３を挿通し、ネジ先鋭円錐体４をボードＤ及び壁体Ｗにねじ込む。
このねじ込は、ネジ同軸体３の下端面３ａがボードＤに着座した状態で適正な状態となる。
而して、上記状態にて飾具２をネジ同軸体３に螺合し、その下端面２ａを上透明板Ｂに着座させ、上下透明板Ｂ、Ｃと壁体Ｗとの間にて脆いボードＤを挟むと共に、締め付けが完了する。
【００１３】
続いて、飾りシートＡの取替え等は、飾具２を逆回転させてネジ同軸体３から外す。その後、ネジ同軸体３の上端面３ｂのネジ無し部６をペンチ等にて挟むか、或いはドライバーにて逆回転してボードＤ及び壁体Ｗから抜き外し、上下透明板Ｂ、Ｃを取外すことができる。
【符号の説明】
【００１４】
Ａ    シート
Ｂ    上透明板
Ｃ    下透明板
Ｄ    ボード
Ｗ    壁体
１    下地用ボルト本体
２    飾具
２ａ  飾具２の下端面
３    下地用ネジ      
３ａ  ネジ同軸体３の下端面
４    ネジ先鋭円錐体
５    ネジ
６    ネジ無し部
７    ドライバー先端挿入溝
８    飾具との接合ネジ
９    下地用ボルト本体との接合ネジ
１０  ネジ内孔
１１  回転用把部
【図１】
0003152670.tif 000003
【図２】
0003152670.tif 000004
【図３】
0003152670.tif 000005
【図４】
0003152670.tif 000006
【図５】
0003152670.tif 000007
【図６】
0003152670.tif 000008